(57)【要約】【課題】ウエアへの取り付けおよび取り外しが容易でありながら、二輪車による走行中もウエアに良好な姿勢で確実に保持されるカードホルダおよびカードホルダ付きウエアを提供する。【解決手段】カードホルダ１は、ＩＣカード１５を収容するカードケース１０およびリールクリップ２０を主要な構成とし、リールクリップ２０のワイヤ２１の先端にカードケース１０が連結される。リールクリップ２０の裏面にはクリップ２２が設けられ、ワイヤ２１の先端にはフラップバンド２６が装着されている。カードケース１０のカード出入口には防水ジッパー１２が設けられている。カードケース１０の一方の主面の下縁部に沿って、マジックテープ（登録商標）１３の一方側結合子１３ａが固着されている。【選択図】図１
2005177064.tif 000002
【特許請求の範囲】
【請求項１】
カードケースおよびリールクリップを含み、前記リールクリップの固定端および可動端のいずれか一方側に前記カードケースを連結して構成されるカードホルダにおいて、
前記カードケースの少なくとも一方の主面に、相互に結合する一対の結合部材の一方が固着されたことを特徴とするカードホルダ。
【請求項２】
アームバンドを備えた腕章型のホルダ基台と、
前記ホルダ基台に設けられ、前記リールクリップの固定端および可動端のいずれか他方側が係合されるクリップ留めと、
前記ホルダ基台に設けられた前記一対の結合部材の他方とを含むことを特徴とする請求項１に記載のカードホルダ。
【請求項３】
ウエストポーチと、
前記ウエストポーチに設けられ、前記リールクリップの他方側が係合されるクリップ留めと、
前記ウエストポーチに設けられた前記一対の結合部材の他方とを含むことを特徴とする請求項１に記載のカードホルダ。
【請求項４】
前記結合部材が留金またはボタンであることを特徴とする請求項１ないし３のいずれかに記載のカードホルダ。
【請求項５】
前記結合部材が面ファスナーであることを特徴とする請求項１ないし３のいずれかに記載のカードホルダ。
【請求項６】
前記結合部材の他方が一方よりも大きいことを特徴とする請求項５に記載のカードホルダ。
【請求項７】
前記カードケースに舌片状の突起が形成されたことを特徴とする請求項１ないし６のいずれかに記載のカードホルダ。
【請求項８】
前記カードがＩＣカードであることを特徴とする請求項１ないし７のいずれかに記載のカードホルダ
【請求項９】
カードケースおよびリールクリップを含み、前記リールクリップの固定端および可動端のいずれか一方側に前記カードケースを連結して構成されたカードホルダが着脱自在に装着されるカードホルダ付きウエアにおいて、
前記カードケースの少なくとも一方の主面に固着され、相互に結合される一対の結合部材の一方と、
ウエアの表面に装着され、前記リールクリップの固定端および可動端のいずれか他方側が係合されるクリップ留めと、
ウエアの表面において前記クリップ留めの下方に装着された前記一対の結合部材の他方とを含むことを特徴とするカードホルダ付きウエア。
【請求項１０】
前記クリップ留めおよび他方の結合部材が左右の胸部の少なくとも一方に装着されたことを特徴とする請求項９に記載のカードホルダ付きウエア。
【請求項１１】
前記クリップ留めおよび他方の結合部材が左右の上腕部の少なくとも一方の外側に装着されたことを特徴とする請求項９に記載のカードホルダ付きウエア。
【請求項１２】
前記結合部材が留金またはボタンであることを特徴とする請求項９ないし１１のいずれかに記載のカードホルダ付きウエア。
【請求項１３】
前記結合部材が面ファスナーであることを特徴とする請求項９ないし１１のいずれかに記載のカードホルダ付きウエア。
【請求項１４】
前記結合部材の他方が一方よりも大きいことを特徴とする請求項１３に記載のカードホルダ付きウエア。
【請求項１５】
前記カードがＩＣカードであることを特徴とする請求項９ないし１４のいずれかに記載のカードホルダ付きウエア。
【発明の詳細な説明】
【技術分野】
【０００１】
本発明は、カードホルダおよびカードホルダ付きウエアに係り、特に、有料道路の料金所に設置された路側機との間で無線通信を行って通行料金を決済するETCカードの携帯に好適なカードホルダおよびカードホルダ付きウエアに関する。
【背景技術】
【０００２】
有料道路の料金所での渋滞緩和やキャッシュレス決済による利便性の向上を目的とした自動料金収受（ETC：Electric Toll Collection）システムが普及しつつある。ETCシステムでは、有料道路の料金所に設置された路側機と車両に搭載されたETC端末との間で無線通信が行われて通行料金がキャッシュレスで決済される。
【０００３】
従来のETC端末は車両に常時固定される車載端末であり、二輪車へ適用する際には、特許文献１に開示されているように、四輪自動車の場合と同様にETC車載機を車両に固定する必要があった。しかしながら、二輪車ではETC車載機が常に露出するために、このような車載方式はなじみにくい。
【０００４】
このような要望に対して、財団法人の道路新産業開発機構では、ETC端末の非接触ＩＣカード化が検討されている。同機構では、このような非接触ＩＣカードの導入に先立ってモニタを募集し、試験走行を実施している。モニタには非接触ＩＣカードと共に、これを収容する防水ジッパー８４付きのカードケース８０（図１３）とリールクリップ８１（図１４）とが支給される。
【０００５】
前記カードケース８０およびリール式のリールクリップ８１は、図１５に示したように、リールクリップ８０のワイヤ端部にカードケース８０をフラップバンド８２で連結して使用される。二輪車はＩＣカード読取機を設置した料金所（一般レーン）において一旦停止し、ドライバがカードケース８０をリールクリップ８１からワイヤ８３ごと引き出し、これを入口では通行券発券機に設置されたＩＣカード読取機に、出口ではブース横に設置したＩＣカード読取機に、それぞれタッチさせると課金が行われる。
【特許文献１】特開平１０−２７８８６５号公報
【発明の開示】
【発明が解決しようとする課題】
【０００６】
図１５に示したように、カードケース８０とリールクリップ８１とを組み合わせた従来のＩＣカードホルダ８では、カードケース８０はリールクリップ８１によって吊り下げられるだけなので、カードケース８０自体は、その下部はもちろんのこと上部も固定されない。したがって、走行中にカードケースが風圧によって舞ったり、あるいはばたついたりすることがある。また、高速走行中であれば、風圧を受けたカードケース８０に作用する力によってリールクリップ８１のワイヤ８３が引き出されてしまうこともあり得る。
【０００７】
本発明の目的は、上記した従来技術の課題を解決し、ウエアへの取り付けおよび取り外しが容易でありながら、二輪車による走行中もウエアに対して良好な姿勢で確実に保持されるカードホルダおよびカードホルダ付きウエアを提供することにある。
【課題を解決するための手段】
【０００８】
上記した目的を達成するために、本発明は、カードケースおよびリールクリップを含み、リールクリップのワイヤ端部（または本体）にカードケースを連結して構成されるカードホルダおよびカードホルダ付きウエアにおいて、以下のような手段を講じた点に特徴がある。
(1)本発明のカードホルダは、カードケースの少なくとも一方の主面に、相互に結合する一対の結合部材の一方が固着されていることを特徴とする。
(2)本発明のカードホルダは、アームバンドを備えた腕章型のホルダ基台と、このホルダ基台に設けられ、前記リールクリップのクリップ（またはワイヤ端部）が係合されるクリップ留めと、前記ホルダ基台に設けられた前記一対の結合部材の他方とを含むこと。あるいはウエストポーチと、このウエストポーチに設けられ、前記リールクリップのクリップが係合されるクリップ留めと、前記ホルダ基台に設けられた前記一対の結合部材の他方と、を含むことを特徴とする。
(3)本発明のカードホルダは、前記結合部材が面ファスナーであり、ホルダ基台あるいはウエストポーチに装着される他方側結合子が、カードケースに装着される一方側結合子よりも大きいことを特徴とする。
(4)本発明のカードホルダは、前記カードケースに舌片状の突起が形成されていることを特徴とする。
(5)本発明のカードホルダ付きウエアは、カードケースの少なくとも一方の主面に固着され、相互に結合する一対の結合部材の一方と、ウエアの表面に装着され、前記リールクリップのクリップ（またはワイヤ端部）が係合されるクリップ留めと、ウエアの表面において前記クリップ留めの下方に装着された前記一対の結合部材の他方とを含むことを特徴とする。
(6)本発明のカードホルダ付きウエアは、前記クリップ留めおよび他方の結合部材が、左右の胸部の少なくとも一方あるいは左右の上腕部の少なくとも一方に装着されていることを特徴とする。
(7)本発明のカードホルダ付きウエアは、面ファスナーの一方側結合子がカードケースに装着され、他方側結合子がウエアに装着され、他方側結合子が一方側結合子よりも大きいことを特徴とする。
【発明の効果】
【０００９】
(1)本発明のカードホルダは、カードケースおよびリールクリップを含み、リールクリップのワイヤ端部（またはリールクリップ本体）にカードケースを連結して構成されると共に、その一方の主面に、相互に結合する一対の結合部材の一方を備え、ウエアには、リールクリップのクリップ（またはワイヤ端部）が係合されるクリップ留めと、前記一対の結合部材の他方とを設けたので、カードケースは、その上部をリールクリップにより支持され、その主要部を結合部材によりウエアへ固定される。したがって、強い走行風を受けてもカードケースが舞ったり、あるいはばたついたりすることがなく、またリールクリップのワイヤが風で引き出されることもない。
【００１０】
(2)本発明のカードホルダは、カードケースおよびリールクリップを含み、リールクリップのワイヤ端部（またはリールクリップ本体）にカードケースを連結して構成されると共に、その一方の主面に、相互に結合する一対の結合部材の一方を備え、腕章型のホルダ基台あるいはウエストポーチに、リールクリップのクリップ（またはワイヤ端部）が係合されるクリップ留めと、前記一対の結合部材の他方とを設けたので、クリップ留めや他方側結合子が装着されていないウエアを着用する際もカードホルダを使用することができる。
【００１１】
(3)結合部材として面ファスナーを採用し、ウエア、ホルダ基台あるいはウエストポーチに設ける他方側結合子を、カードケースに設ける一方側結合子よりも大きくしたので、ドライバがカードケースをウエア、ホルダ基台あるいはウエストポーチへ戻して面ファスナーを連結する際に、その位置決めの制約を緩和することができる。
【００１２】
(4)結合部材として面ファスナーを採用し、これをカードケースの両面に設けたので、ドライバはカードケースの表裏を意識することなく、これをウエアや腕章型のホルダ基台、あるいはウエストポーチへ簡単に装着できるようになる。
【００１３】
(5)カードケースに舌片状の突起を設けたので、カードケースをウエアや腕章型のホルダ基台、あるいはウエストポーチから取り外す際に、この舌片状突起を摘んで引き剥がすようにすれば操作性が向上する。
【発明を実施するための最良の形態】
【００１４】
以下、図面を参照して本発明の好ましい実施の形態について詳細に説明する。図１は、本発明に係るカードホルダ１の正面図であり、図２は、その側面図である。
【００１５】
本発明のカードホルダ１は、ＩＣカード１５を収容するカードケース１０およびリールクリップ２０（あるいはバッジリトラクタ）を主要な構成とし、リールクリップ２０から引き出されるワイヤ２１の先端には、雄スナップ２３、雌スナップ２４および吊り下げ孔２５を備えたフラップバンド２６が装着されている。カードケース１０は前記フラップバンド２６を介してリールクリップ２０と連結される。前記リールクリップ２０の裏面にはクリップ２２が設けられている。
【００１６】
カードケース１０は、電磁波に対して透明な塩ビ製あるいはポリオルフェン製等であり、上端部の近傍には、前記フラップバンド２６が挿通される吊り下げ孔１１が開口され、カード出入口には防水ジッパー１２が設けられている。本実施形態ではさらに、カードケース１０の一方の主面の下縁部に沿って、着脱の容易な一対の結合部材として、例えばマジックテープ（登録商標）１３のような面ファスナーの一方側結合子１３ａが固着されている。
【００１７】
図３は、前記カードホルダ１の使用に好適なウエア４０（ライディングジャケット）の一例を示した図であり、左側胸部には帯状のクリップ留め４１が設けられ、その下方には他方側結合子１３ｂが固着されている。
【００１８】
前記カードホルダ１をウエア４０に装着する際は、図４に示したように、前記リールクリップ２０の本体部に設けたクリップ２２で前記クリップ留め４１を挟み、カードケース１０の一方の主面に固着されたマジックテープ（登録商標）の一方側結合子１３ａをウエア側に固着された他方側結合子１３ｂに押し付けて両者を結合させる。なお、上記実施形態では着脱の容易な一対の結合部材としてマジックテープ（登録商標）を採用したが、留金やボタンであっても良い。
【００１９】
本実施形態によれば、カードケース１０の上部は前記リールクランプ２０により保持され、カードケース１０の下部は前記マジックテープ（登録商標）１３によりウエアに対して固定されるので、強い走行風を受けてもカードケース１０が舞ったり、あるいはばたついたりすることがなく、またリールクリップ２０のワイヤ２１が引き出されてしまうこともない。
【００２０】
なお、上記した実施形態では、クリップ留め４１およびマジックテープ（登録商標）１３の他方側結合子１３ｂをウエア４０の胸部に固着するものとして説明したが、本発明はこれのみに限定されるものではなく、図５に示したように、上腕部に固着するようにしても良い。
【００２１】
ところで、上記した実施形態ではウエア４０に予めクリップ留め４１およびマジックテープ（登録商標）の他方側結合子１３ｂを装着しておく必要がある。これに対して、次に説明する他の実施形態では、前記クリップ留め４１および他方側結合子１３ｂが装着されていないウエアを着用する際でも、前記カードホルダ１を使用できるようにしている。
【００２２】
図６、７は、本発明の他の実施形態に係るカードホルダ１の構成を示した図であり、前記と同一の符号は同一または同等部分を表している。
【００２３】
本実施形態では、図６に示した腕章型のホルダ基台５０を別途に用意し、これに前記カードホルダ１を装着し、ドライバは前記ホルダ基台５０を腕に装着する。前記ホルダ基台５０には、これを上腕部に装着するためのアームバンド５２が設けられると共に、前記帯状のクリップ留め４１と同等のクリップ留め５３およびマジックテープ（登録商標）１３の他方側結合子１３ｂが設けられている。前記カードホルダ１は、図７に示したように、前記リールクリップ２０のクリップ２２で前記クリップ留め５３を挟み、カードケース１０の裏面に設けられたマジックテープ（登録商標）の一方側結合子１３ａを前記他方側結合子１３ｂに押し付けて両者を結合させることでホルダ基台５０へ装着される。
【００２４】
なお、上記した腕章型のホルダ基台５０のアームバンド５２は、図８に示したように２箇所に設けても良い。このようにすれば、一方のアームバンド５２ａは上腕部への装着を考慮して比較的短くし、他方のアームバンド５２ｂは大腿部への装着を考慮して比較的長くすることにより、ホルダ基台５０の装着位置に関する制約を無くすることができる。
【００２５】
さらに、上記した腕章型のホルダ基台５０以外にも、例えば図９に示したように、ウエストポーチ６０の正面に前記クリップ留め５３と同等のクリップ留め６１およびマジックテープ（登録商標）１３の他方側結合子１３ｂを装着し、ここに前記カードホルダ１を装着するようにしても良い。
【００２６】
また、上記した各実施形態では、マジックテープ（登録商標）１３の一方側結合子１３ａをカードケース１０の一方の主面のみ設けるものとして説明したが、本発明はこれにみに限定されるものではなく、図１０に示したように両面に設けても良い。このようにすれば、ドライバはカードケース１０の表裏を意識することなく、これをウエア４０や腕章型のホルダ基台５０、あるいはウエストポーチ６０へ簡単に装着できるようになる。
【００２７】
さらに、図１１に示した他の実施形態のように、カードケース１０の下端部に舌片状の突起２８を設け、カードケース１０をウエア４０や腕章型のホルダ基台５０、あるいはウエストポーチ６０から取り外す際に、この舌片状突起２８を摘んで引き剥がすようにすれば操作性が向上する。
【００２８】
さらに、上記した各実施形態ではカードケース１０をリールクリップ２０の可動端であるワイヤ端部に装着するものとして説明したが、図１２に示した更に他の実施形態のように、リールクリップ２０の固定端である本体にカードケース１０を装着し、ワイヤ２１の端部に設けたクリップ２９を前記クリップ留め４１、５３、６１に係合させるようにしても良い。
【００２９】
さらに、上記した各実施形態では、カードケース１０に装着されるマジックテープ（登録商標）の一方側結合子１３ａと、ウエア４０、腕章型ホルダ基台５０あるいはウエストポーチ６０に装着される他方側結合子１３ｂとの相対的な大きさに関して規定していないが、図７に一例を示したように、他方側結合子１３ｂを一方側結合子１３ａよりも大きくすれば、ドライバがカードケース１０をウエア４０、腕章型のホルダ基台５０あるいはウエストポーチ６０へ戻してマジックテープ（登録商標）と連結させる際に、その位置決めの制約を緩和することができる。
【図面の簡単な説明】
【００３０】
【図１】本発明に係るカードホルダの一実施形態の正面図である。
【図２】本発明に係るカードホルダの一実施形態の側面図である。
【図３】本発明に係るカードホルダが装着されるウエアの一例を示した図である。
【図４】本発明に係るカードホルダのライダージャケットへの装着例を示した図である。
【図５】本発明に係るカードホルダが装着されるウエアの他の一例を示した図である。
【図６】本発明に係るカードホルダと共に使用される腕章型ホルダ基台の一例を示した図である。
【図７】図６に示した腕章型ホルダ基台へのカードホルダの装着例を示した図である。
【図８】腕章型ホルダ基台の他の実施形態の一例を示した図である。
【図９】本発明に係るカードホルダと共に使用されるウエストポーチの一例を示した図である。
【図１０】本発明に係るカードホルダの他の実施形態の側面図である。
【図１１】本発明に係るカードホルダのさらに他の実施形態の正面図である。
【図１２】本発明に係るカードホルダのさらに他の実施形態の正面である。
【図１３】従来の防水ジッパー付きカードケースの一例を示した図である。
【図１４】従来のリールクリップの一例を示した図である。
【図１５】従来のカードホルダの一例を示した図である。
【符号の説明】
【００３１】
１…カードホルダ、１０…カードケース、１１…吊り下げ孔、１２…防水ジッパー、１３…マジックテープ（登録商標）、１３ａ…一方側結合子、１３ｂ…他方側結合子、１５…ＩＣカード、２０…リールクリップ、２１…ワイヤ、２２…クリップ、２３…雄スナップ、２４…雌スナップ、２５…吊り下げ孔、２６…フラップバンド、４０…ウエア、４１，５３，６１…クリップ留め、５０…腕章型ホルダ基台、５２…アームバンド、６０…ウエストポーチ
【図１】
2005177064.tif 000003
【図２】
2005177064.tif 000004
【図３】
2005177064.tif 000005
【図４】
2005177064.tif 000006
【図５】
2005177064.tif 000007
【図６】
2005177064.tif 000008
【図７】
2005177064.tif 000009
【図８】
2005177064.tif 000010
【図９】
2005177064.tif 000011
【図１０】
2005177064.tif 000012
【図１１】
2005177064.tif 000013
【図１２】
2005177064.tif 000014
【図１３】
2005177064.tif 000015
【図１４】
2005177064.tif 000016
【図１５】
2005177064.tif 000017